(57)【要約】      （修正有）【課題】容易に植物をきれいに整列させることができる植物保持部材を提供する。【解決手段】土台面より上方側で植物を保持する植物保持部材であって、植物を保持する保持構造を有する板状の植物側板状部１０と、植物側板状部を、土台面２１に沿う所定方向に進むに従って土台面に接近するように傾斜する傾斜姿勢にした状態で、植物側板状部の傾斜方向に直交する幅方向の両側で植物側板状部を支持する傾斜支持部３０と、を備える。支持側板状部３１は、板厚方向に凹む板厚側凹部６０を有する。板厚側凹部の構成面には、植物側板状部の裏面に接触して植物側板状部を下方側から支持する平面側支持面、および植物側板状部の側面端面に接触して植物側板状部を下方側から支持する端面側支持面が含まれる。【選択図】図７
0003224506.tif 000002
【実用新案登録請求の範囲】
【請求項１】
土台面より上方側で植物を保持する植物保持部材であって、
前記植物を保持する保持構造を有する板状の植物側板状部と、
前記植物側板状部を、前記土台面に沿う所定方向に進むに従って前記土台面に接近するように傾斜する傾斜姿勢にした状態で、前記植物側板状部の傾斜方向に直交する前記植物側板状部の幅方向の両側で前記植物側板状部を支持する傾斜支持部と、
を備えることを特徴とする、
植物保持部材。
【請求項２】
前記傾斜支持部は、前記土台面よりも上方側に延在すると共に、並列に配置される一対の板状の支持側板状部を有し、
前記支持側板状部は、
上方側を向くと共に、前記傾斜方向に傾斜し、前記植物側板状部の平面に接触して前記植物側板状部を下方側から支持する平面側支持面と、
前記傾斜方向において前記植物側板状部の側面を構成する端面に対向し、前記端面に接触して前記植物側板状部を下方側から支持する端面側支持面と、
を有し、
前記植物側板状部は、前記平面側支持面および前記端面側支持面で支持されて前記傾斜姿勢となることを特徴とする、
請求項１に記載の植物保持部材。
【請求項３】
前記支持側板状部は、前記支持側板状部の板厚方向に凹む板厚側凹部を有し、
前記板厚側凹部の構成面には、前記平面側支持面および前記端面側支持面が含まれることを特徴とする、
請求項２に記載の植物保持部材。
【請求項４】
前記支持側板状部は、前記平面側支持面の上端の近傍の前記支持側板状部の外縁において前記板厚方向に凹む開口を有し、
前記板厚側凹部は、前記開口を起点として、前記傾斜方向に沿って延在し、前記植物側板状部を挿入可能な通路幅を有する通路部を有し、
前記通路部には、前記平面側支持面および前記端面側支持面が含まれることを特徴とする、
請求項３に記載の植物保持部材。
【請求項５】
前記支持側板状部は、前記平面側支持面の上端の近傍の前記支持側板状部の外縁において前記板厚方向に凹む主通路側開口、および前記主通路側開口よりも前記所定方向側の前記支持側板状部の上端の外縁において前記板厚方向に凹む予備通路側開口を有し、
前記板厚側凹部は、
前記主通路側開口を起点として前記傾斜方向に沿って延在し、前記植物側板状部を挿入可能な主通路部と、
前記予備通路側開口を起点として前記主通路部に向かって延在し、前記植物側板状部を挿入可能な予備通路部と、
前記主通路部と前記予備通路部との間に位置し、前記植物側板状部が旋回により前記予備通路部と前記主通路部との間を移動可能な広さの旋回空間を有する旋回通路部と、
を有し、
前記主通路部には、前記平面側支持面および前記端面側支持面が含まれることを特徴とする、
請求項３に記載の植物保持部材。
【請求項６】
前記板厚側凹部は、前記予備通路部の最奥部を起点として前記主通路部の通路方向に凹むと共に、前記主通路部の一部を成す通路方向側凹部を有し、
前記通路方向側凹部の構成面には、前記平面側支持面および前記端面側支持面が含まれることを特徴とする、
請求項５に記載の植物保持部材。
【請求項７】
前記主通路部は、
前記旋回通路部での前記植物側板状部の旋回方向において前記旋回通路部に隣接する主通路側隣接区間と、
前記主通路側開口から前記主通路側隣接区間までの、前記前記植物側板状部を前記傾斜方向に案内する主通路側案内区間と、
を有し、
前記主通路側案内区間において前記主通路部は、
前記板厚側凹部の凹部底面の一部を成し、前記主通路側開口を起点として前記傾斜方向に延在する主通路側凹部底面片と、
前記主通路側凹部底面片を起点として前記板厚方向に立ち、前記平面側支持面の一部を成す平面側支持面片と、
前記主通路側凹部底面片を起点として前記板厚方向に立ち、前記主通路部の通路幅方向において前記平面側支持面片に対向する主通路側対向面と、
により構成されることを特徴とする、
請求項５または６に記載の植物保持部材。
【請求項８】
前記予備通路部は、
前記旋回通路部での前記植物側板状部の旋回方向において前記旋回通路部に隣接する予備通路側隣接区間と、
前記予備通路側開口から前記予備通路側隣接区間までの、前記前記植物側板状部を前記予備通路部の通路方向に案内する予備通路案内区間と、
を有し、
前記予備通路側案内区間において前記予備通路部は、
前記板厚側凹部の前記凹部底面の一部を成し、前記予備通路側開口を起点として前記予備通路部の通路方向に延在する予備通路側凹部底面片と、
前記予備通路側凹部底面片を起点として前記板厚方向に立つと共に、前記予備通路の通路幅方向において対向する一対の予備通路側対向面と、
により構成されることを特徴とする、
請求項７に記載の植物保持部材。
【請求項９】
前記旋回通路部は、
前記板厚側凹部の前記凹部底面の一部を成し、前記主通路部と前記予備通路部の間に位置する旋回通路側凹部底面片と、
前記旋回通路側凹部底面片から前記板厚方向に立つと共に、前記旋回空間を介して前記主通路部と前記予備通路部とが交わる領域に対向する旋回通路側対向面を有し、
前記旋回通路側対向面は、前記主通路側対向面および／または自身に近位側の前記予備通路側対向面に連続することを特徴とする、
請求項８に記載の植物保持部材。
【請求項１０】
前記支持側板状部は、
前記傾斜面の上端の近傍の前記支持側板状部の外縁に設けられた開口を起点として前記傾斜方向に沿って前記支持側板状部の内部側に延在すると共に、前記植物側板状部を挿入可能なスリット幅を有する少なくとも１つのスリットを有し、
前記スリットの一部は、前記傾斜面により構成されることを特徴とする、
請求項２に記載の植物保持部材。
【請求項１１】
前記植物は、茎を有し、
前記植物側板状部の前記保持構造は、前記植物側板状部の外縁に設けられた開口を起点として前記植物が載置される一方側の平面（以下、植物載置面と呼ぶ。）に沿う第一方向に沿って前記植物側板状部の内部側に延在するスリットを有し、
前記植物側板状部の前記傾斜姿勢において、前記スリットは、前記スリットの前記開口する側が前記土台面に対して遠位となり、前記スリットの奥側が前記土台面に対して近位となるように傾斜し、
前記スリットを取り囲む前記植物側板状部の面のうち、前記第一方向に直交し、かつ前記植物載置面に沿う第二方向において対向する第一挟持面および第二挟持面は、前記植物側板状部の厚み方向に前記スリットを通る前記茎を前記茎の径方向から挟持可能に構成され、
前記平面側支持面は、前記植物載置面とは反対側の平面に接触して前記植物側板状部を支持することを特徴とする、
請求項１〜１０のいずれかに記載の植物保持部材。
【請求項１２】
植物を保持する保持構造を有する板状の植物側板状体を、土台面より上方側で支持する支持部材であって、
前記植物側板状体を、前記土台面に沿う所定方向に進むに従って前記土台面に接近するように傾斜する傾斜姿勢にした状態で、前記植物側板状部の傾斜方向に直交する前記植物側板状部の幅方向の両側で前記植物側板状部を支持することを特徴とする、
支持部材。
【考案の詳細な説明】
【技術分野】
【０００１】
本考案は、茎を有する植物を保持する植物保持部材、および、それに含まれる支持部材に関する。
【背景技術】
【０００２】
イチゴは、衝撃を加えられると傷付きやすい。また、傷が付いたイチゴは商品価値が下がる。このため、本願出願人は、イチゴに傷が付かないように、イチゴの茎を挟持してイチゴを保持する植物保持部材を提案している（例えば、特許文献１参照）。上記植物保持部材は、植物が載置される板状部と、当該板状部を載置する載置面を有する土台部と、当該土台部に対して板状部が傾斜する傾斜姿勢を維持する傾斜維持機構と、により構成される。そして、傾斜維持機構は、傾斜姿勢で板状部を土台部に取り付ける取付機構を有する。当該取付機構は、板状部から凸となる凸部と、土台部の内部に延びる凸部が挿入可能な挿入通路と、により構成される。凸部が挿入通路に挿入されると、板状部は、凸部を中心に回動可能に土台部に取り付けられる。
【先行技術文献】
【特許文献】
【０００３】
【特許文献１】特許６４１５７７３号公報
【考案の概要】
【考案が解決しようとする課題】
【０００４】
上記植物保持部材において板状部は、凸部を中心に回動可能に土台部に取り付けられる。このため、複数の板状部を土台部に取り付ける際、複数の板状部が向く方向が一致するように複数の板状部の向きを揃えて土台部に配列する作業は手間がかかる。つまり、複数の板状部に載置された植物をきれいに整列させる作業は手間がかかる。
【０００５】
本考案は、斯かる実情に鑑み、容易に植物をきれいに整列させることができる植物保持部材およびそれに含まれる支持部材を提供しようとするものである。
【課題を解決するための手段】
【０００６】
本考案は上記課題を解決するためになされたものであり、本考案の植物保持部材は、土台面より上方側で植物を保持する植物保持部材であって、前記植物を保持する保持構造を有する板状の植物側板状部と、前記植物側板状部を、前記土台面に沿う所定方向に進むに従って前記土台面に接近するように傾斜する傾斜姿勢にした状態で、前記植物側板状部の傾斜方向に直交する前記植物側板状部の幅方向の両側で前記植物側板状部を支持する傾斜支持部と、を備えることを特徴とする。
【０００７】
また、本考案の植物保持部材において、前記傾斜支持部は、前記土台面よりも上方側に延在すると共に、並列に配置される一対の板状の支持側板状部を有し、前記支持側板状部は、上方側を向くと共に、前記傾斜方向に傾斜し、前記植物側板状部の平面に接触して前記植物側板状部を下方側から支持する平面側支持面と、前記傾斜方向において前記植物側板状部の側面を構成する端面に対向し、前記端面に接触して前記植物側板状部を下方側から支持する端面側支持面と、を有し、前記植物側板状部は、前記平面側支持面および前記端面側支持面で支持されて前記傾斜姿勢となることを特徴とする。
【０００８】
また、本考案の植物保持部材において、前記支持側板状部は、前記支持側板状部の板厚方向に凹む板厚側凹部を有し、前記板厚側凹部の構成面には、前記平面側支持面および前記端面側支持面が含まれることを特徴とする。
【０００９】
また、本考案の植物保持部材において、前記支持側板状部は、前記平面側支持面の上端の近傍の前記支持側板状部の外縁において前記板厚方向に凹む開口を有し、前記板厚側凹部は、前記開口を起点として、前記傾斜方向に沿って延在し、前記植物側板状部を挿入可能な通路幅を有する通路部を有し、前記通路部には、前記平面側支持面および前記端面側支持面が含まれることを特徴とする。
【００１０】
また、本考案の植物保持部材において、前記支持側板状部は、前記平面側支持面の上端の近傍の前記支持側板状部の外縁において前記板厚方向に凹む主通路側開口、および前記主通路側開口よりも前記所定方向側の前記支持側板状部の上端の外縁において前記板厚方向に凹む予備通路側開口を有し、前記板厚側凹部は、前記主通路側開口を起点として前記傾斜方向に沿って延在し、前記植物側板状部を挿入可能な主通路部と、前記予備通路側開口を起点として前記主通路部に向かって延在し、前記植物側板状部を挿入可能な予備通路部と、前記主通路部と前記予備通路部との間に位置し、前記植物側板状部が旋回により前記予備通路部と前記主通路部との間を移動可能な広さの旋回空間を有する旋回通路部と、を有し、前記主通路部には、前記平面側支持面および前記端面側支持面が含まれることを特徴とする。
【００１１】
また、本考案の植物保持部材において、前記板厚側凹部は、前記予備通路部の最奥部を起点として前記主通路部の通路方向に凹むと共に、前記主通路部の一部を成す通路方向側凹部を有し、前記通路方向側凹部の構成面には、前記平面側支持面および前記端面側支持面が含まれることを特徴とする。
【００１２】
また、本考案の植物保持部材において、前記主通路部は、前記旋回通路部での前記植物側板状部の旋回方向において前記旋回通路部に隣接する主通路側隣接区間と、前記主通路側開口から前記主通路側隣接区間までの、前記前記植物側板状部を前記傾斜方向に案内する主通路側案内区間と、を有し、前記主通路側案内区間において前記主通路部は、前記板厚側凹部の凹部底面の一部を成し、前記主通路側開口を起点として前記傾斜方向に延在する主通路側凹部底面片と、前記主通路側凹部底面片を起点として前記板厚方向に立ち、前記平面側支持面の一部を成す平面側支持面片と、前記主通路側凹部底面片を起点として前記板厚方向に立ち、前記主通路部の通路幅方向において前記平面側支持面片に対向する主通路側対向面と、により構成されることを特徴とする。
【００１３】
また、本考案の植物保持部材において、前記予備通路部は、前記旋回通路部での前記植物側板状部の旋回方向において前記旋回通路部に隣接する予備通路側隣接区間と、前記予備通路側開口から前記予備通路側隣接区間までの、前記前記植物側板状部を前記予備通路部の通路方向に案内する予備通路案内区間と、を有し、前記予備通路側案内区間において前記予備通路部は、前記板厚側凹部の前記凹部底面の一部を成し、前記予備通路側開口を起点として前記予備通路部の通路方向に延在する予備通路側凹部底面片と、前記予備通路側凹部底面片を起点として前記板厚方向に立つと共に、前記予備通路の通路幅方向において対向する一対の予備通路側対向面と、により構成されることを特徴とする。
【００１４】
また、本考案の植物保持部材において、前記旋回通路部は、前記板厚側凹部の前記凹部底面の一部を成し、前記主通路部と前記予備通路部の間に位置する旋回通路側凹部底面片と、前記旋回通路側凹部底面片から前記板厚方向に立つと共に、前記旋回空間を介して前記主通路部と前記予備通路部とが交わる領域に対向する旋回通路側対向面を有し、前記旋回通路側対向面は、前記主通路側対向面および／または自身に近位側の前記予備通路側対向面に連続することを特徴とする。
【００１５】
また、本考案の植物保持部材において、前記支持側板状部は、前記傾斜面の上端の近傍の前記支持側板状部の外縁に設けられた開口を起点として前記傾斜方向に沿って前記支持側板状部の内部側に延在すると共に、前記植物側板状部を挿入可能なスリット幅を有する少なくとも１つのスリットを有し、前記スリットの一部は、前記傾斜面により構成されることを特徴とする。
【００１６】
また、本考案の植物保持部材において、前記植物は、茎を有し、前記植物側板状部の前記保持構造は、前記植物側板状部の外縁に設けられた開口を起点として前記植物が載置される一方側の平面（以下、植物載置面と呼ぶ。）に沿う第一方向に沿って前記植物側板状部の内部側に延在するスリットを有し、前記植物側板状部の前記傾斜姿勢において、前記スリットは、前記スリットの前記開口する側が前記土台面に対して遠位となり、前記スリットの奥側が前記土台面に対して近位となるように傾斜し、前記スリットを取り囲む前記植物側板状部の面のうち、前記第一方向に直交し、かつ前記植物載置面に沿う第二方向において対向する第一挟持面および第二挟持面は、前記植物側板状部の厚み方向に前記スリットを通る前記茎を前記茎の径方向から挟持可能に構成され構成され、前記平面側支持面は、前記植物載置面とは反対側の平面に接触して前記植物側板状部を支持することを特徴とする。
【００１７】
また、本考案の支持部材は、植物を保持する保持構造を有する板状の植物側板状体を、土台面より上方側で支持する支持部材であって、前記植物側板状体を、前記土台面に沿う所定方向に進むに従って前記土台面に接近するように傾斜する傾斜姿勢にした状態で、前記植物側板状部の傾斜方向に直交する前記植物側板状部の幅方向の両側で前記植物側板状部を支持することを特徴とする。
【考案の効果】
【００１８】
本考案の植物保持部材およびそれに含まれる支持部材によれば、容易に植物をきれいに整列させることができるという優れた効果を奏し得る。
【図面の簡単な説明】
【００１９】
【図１】（Ａ）は、本考案の第一実施形態における植物側板状部が傾斜支持部および土台部から分離された際の植物保持部材の斜視図である。（Ｂ）は、本考案の第一実施形態における植物側板状部が傾斜支持部で保持された際の植物保持部材の斜視図である。
【図２】（Ａ）は、本考案の第一実施形態における植物側板状部の平面図である。（Ｂ）は、本考案の第一実施形態における植物側板状部の変形例でイチゴが保持された際の断面図である。
【図３】（Ａ）は、本考案の第一実施形態における植物側板状部が傾斜支持部で保持された際の植物保持部材をＹＺ平面で切った断面図である。（Ｂ）は、本考案の第一実施形態における植物側板状部が傾斜支持部で保持された際の植物保持部材をＸ軸方向から見た際の植物保持部材の側面図である。
【図４】（Ａ）は、本考案の第二実施形態における植物側板状部が傾斜支持部および土台部から分離された際の植物保持部材の斜視図である。（Ｂ）は、本考案の第二実施形態における植物側板状部が傾斜支持部で保持された際の植物保持部材の斜視図である。
【図５】（Ａ）は、本考案の第二実施形態における植物側板状部の平面図である。（Ｂ），（Ｃ）は、本考案の第二実施形態における植物側板状部の変形例である。
【図６】（Ａ）は、本考案の第二実施形態における植物側板状部を取付部に取り付ける様子を時系列に並べた図である。
【図７】（Ａ）は、本考案の第三実施形態における植物側板状部が傾斜支持部および土台部から分離された際の植物保持部材の斜視図である。（Ｂ）は、本考案の第三実施形態における植物側板状部が傾斜支持部で保持された際の植物保持部材の斜視図である。
【図８】（Ａ）は、本考案の第三実施形態における支持側板状部の板厚凹部の主通路部、予備通路部、および旋回通路部を示した支持側板状部の平面図である。（Ｂ）は、本考案の第三実施形態における支持側板状部で植物側板状部を支持する様子を示す図である。（Ｃ）は、本考案の第三実施形態における支持側板状部の板厚凹部の主通路部、予備通路部、および旋回通路部を構成する各構成要素を説明するための支持側板状部の平面図である。（Ｄ）は、本考案の第三実施形態における支持側板状部の板厚凹部の主通路部、予備通路部、および旋回通路部を構成する各構成要素を説明するための支持側板状部の斜視図である。
【図９】（Ａ）〜（Ｄ）は、本考案の第三実施形態における支持側板状部に植物側板状部を取り付ける様子を時系列に並べた図である。
【考案を実施するための形態】
【００２０】
以下、本考案の各実施形態を、添付図面を参照して説明する。本考案の各実施形態における植物保持部材１は、茎を有する茎付き植物を保持するが、これに限定されるものではなく、その他の態様の植物を保持するものであてもよい。茎を有する植物として、例えば、イチゴが挙げられるが、これに限定されるものではなく、その他の植物であってもよい。なお、以下において茎を有する植物がイチゴであるものとして各実施形態を説明する。
【００２１】
＜第一実施形態＞
図１〜図３を参照して、本考案の第一実施形態における植物保持部材１について説明する。植物保持部材１は、図１（Ａ），（Ｂ）に示すように、例えば、植物側板状部１０と、土台部２０と、傾斜支持部３０と、を備える。
【００２２】
＜植物側板状部＞
植物側板状部１０は、例えば、板状に形成される板状体により構成される。植物側板状部１０は、例えば、長方形に形成されることが想定されるが、これに限定されるものではなく、正方形やその他の多角形、円形、それらが混合された形状のいずれであってもよい。
【００２３】
また、植物側板状部１０は、植物を保持する保持構造を有する。保持構造は、植物載置面１１と、スリット４０と、を有する。
【００２４】
＜植物載置面＞
植物載置面１１は、イチゴ１００を載置する面であり、植物側板状部１０の２つの平面のうち、いずれか一方の面により構成される。具体的にイチゴ１００は、図３（Ａ）に示すように、スリット４０に茎１０１が挿入された状態でイチゴ１００の茎１０１の周りのヘタ１０２部分が植物載置面１１に載置される。植物側板状部１０の材料として、例えば、ポリエチレンテレフタラート、ポリプロピレン、ポリスチレン、発泡スチロール等の樹脂が一例として挙げられるが、これに限定されるものではなく、その他の材料であってもよい。
【００２５】
植物側板状部１０は、イチゴ１００が載置されたときに、その重みで反り過ぎないように、ある程度の板厚を有することが好ましい。植物側板状部１０の板厚として、例えば、０．７ｍｍ以上が好ましく、１ｍｍ以上がさらに好ましい。
【００２６】
＜スリット＞
植物側板状部１０は、図１（Ａ），（Ｂ）および図２（Ａ）に示すように、複数のスリット４０を有する。スリット４０は、図２（Ａ）に示すように、植物側板状部１０の外縁１０Ａに設けられた開口４３を起点として、植物載置面１１に沿う平面方向（以下、スリット延在方向と呼ぶ。）Ａに沿って、植物側板状部１０の内部側に延在する。
【００２７】
また、複数のスリット４０は、等間隔に並列に設けられることが想定されるが、これに限定されるものではなく、不等間隔に並列に設けられるものであってもよい。本実施形態において複数のスリット４０の配列方向（以下、スリット配列方向と呼ぶ。）は、スリット４０の幅方向（以下、スリット幅方向と呼ぶ。）Ｂとしているが、これに限定されるものではなく、植物載置面１１に沿う方向であればどの方向であってもよい。
【００２８】
以上のようにスリット４０が設けられると、隣り合うスリット４０同士の間には、帯状部１３が形成される。帯状部１３は、スリット配列方向（スリット幅方向Ｂ）においてスリット４０の最奥部に隣接する基端位置１６を起点としてスリット延在方向Ａに沿って延在する。また、帯状部１３とスリット４０とは、スリット配列方向（スリット幅方向Ｂ）に沿って交互に並列に並ぶ。結果、本実施形態において植物側板状部１０は、図１（Ａ），（Ｂ）および図２（Ａ）に示すように、櫛形状となる。
【００２９】
なお、スリット延在方向Ａは、直線方向に限定されるものではなく、曲線方向（例えば、波線方向、螺旋方向）であってもよい。また、以下において本実施形態では、スリット配列方向がスリット幅方向Ｂであるとして説明するが、以下の説明はスリット配列方向がその他の方向である場合にも適用可能である。
【００３０】
スリット４０は、図２（Ａ）に示すように、第一スリット構成面４１と、第二スリット構成面４２と、スリット延在方向Ａにおけるスリット４０の最奥面４４と、により構成される。第一スリット構成面４１および第二スリット構成面４２は、スリット幅方向Ｂにおいてスリット４０の両隣に位置する２つの帯状部１３の面のうち、スリット幅方向Ｂにおいて対向する面に相当する。つまり、第一スリット構成面４１および第二スリット構成面４２は、スリット幅方向Ｂにおいて対向する。
【００３１】
イチゴ１００の茎１０１がスリット４０に挿入されると、図２（Ａ）に示すように、第一スリット構成面４１と第二スリット構成面４２で茎１０１の径方向から茎１０１が挟持される。このため、スリット４０の最小スリット幅Ｄ（第一スリット構成面４１と第二スリット構成面４２のスリット幅方向Ｂにおける最小距離）は、イチゴ１００の茎１０１の直径Ｒまたは幅Ｗよりも小さくすることが好ましい。
【００３２】
なお、スリット４０の最小スリット幅Ｄは、スリット４０が延在する全区間で同一であることが好ましい。ただし、本考案ではこれに限定されるものではなく、例えば、スリット４０の最小スリット幅Ｄは、図２（Ａ）の楕円領域Ｖに示すように、スリット４０の最奥面４４側から開口４３側に進むにしたがって大きくなるものであってもよい。
【００３３】
また、帯状部１３は、帯状部１３の基端位置１６を支点としてスリット幅方向Ｂ（幅方向Ｘ）に傾動可能に構成されることが好ましい。また、スリット幅方向Ｂ（幅方向Ｘ）に傾動した帯状部１３は、弾性変形して元の位置に復帰可能に構成されることが好ましい。
【００３４】
また、第一スリット構成面４１および／または第二スリット構成面４２は、平滑化されていてもよいが、イチゴ１００の茎１０１が確実に挟持されるように、粗面化されていることがより好ましい。なお、第一スリット構成面４１および／または第二スリット構成面４２は、平滑化された部分と粗面化された部分の双方が混在していてもよい。
【００３５】
また、第一スリット構成面４１は、図２（Ｂ）に示すように、第一凸面４１０を有するように構成されてもよい。第一凸面４１０は、第一凸面４１０の凸基準となる仮想的な仮想基準面Ｇ１を基準として、スリット幅方向Ｂに沿って第一スリット構成面４１から第二スリット構成面４２に向かう方向に凸となる。また、第一凸面４１０は、スリット幅方向Ｂに沿ってスリットの深さ方向（以下、スリット深さ方向と呼ぶ。）Ｃに切った断面（以下、スリット断面と呼ぶ。）において第一スリット構成面４１から第二スリット構成面４２に進むに従ってスリット深さ方向Ｃにおける幅が小さくなるように構成される。つまり、第一凸面４１０は、スリット断面がスリット幅方向Ｂに先細るテーパ状に構成される。
【００３６】
第二スリット構成面４２は、図２（Ｂ）に示すように、第二凸面４２０を有するように構成されてもよい。第二凸面４２０は、第二凸面４２０の凸基準となる仮想的な仮想基準面Ｇ２を基準として、スリット幅方向Ｂに沿って第二スリット構成面４２から第一スリット構成面４１に向かう方向に凸となる。また、第二凸面４２０は、スリット断面において第二スリット構成面４２から第一スリット構成面４１に進むに従ってスリット深さ方向Ｃにおける幅が小さくなるように構成される。つまり、第二凸面４２０は、スリット断面がスリット幅方向Ｂに先細るテーパ状に構成される。
【００３７】
以上のように構成される第一スリット構成面４１および第二スリット構成面４２により、スリット深さ方向Ｃにスリット４０に挿入されたイチゴ１００の茎１０１が挟持されたとき、図２（Ｂ）に示すように、第一凸面４１０および第二凸面４２０は、それぞれ茎１０１の周面１０１Ａ側から茎１０１の内部に食い込む第一食込み領域４５、および第二食込み領域４６と、茎１０１に当接しない第一茎側非当接領域４７、および第二茎側非当接領域４８とを有する。そして、イチゴ１００の茎１０１の周りのヘタ１０２部分は、植物載置面１１に接触した状態で、植物載置面１１で載置される。
【００３８】
第一食込み領域４５、および第二食込み領域４６は、それぞれ、第一スリット構成面４１および第二スリット構成面４２によりイチゴ１００の茎１０１が上記のように挟持された後において、イチゴ１００の茎１０１が挟持される前における茎１０１の周面１０１Ａを仮想周面１０１Ｂと定義したとき、仮想周面１０１Ｂよりも茎１０１の内部側における第一凸面４１０および第二凸面４２０の領域を指す。本実施形態において第一食込み領域４５、および第二食込み領域４６は、図２（Ｂ）に示すように、仮想周面１０１Ｂを基準として、それぞれ、スリット幅方向Ｂに長さＦ１，Ｆ２だけ食い込む。
【００３９】
第一食込み領域４５、および第二食込み領域４６は、それぞれ第一凸面４１０および第二凸面４２０のスリット幅方向Ｂにおける先端側に設けられる。本実施形態において第一食込み領域４５、および第二食込み領域４６は、例えば、スリット断面が略三角形状となる。このとき、第一食込み領域４５、および第二食込み領域４６の先端角が小さければ小さいほど、イチゴ１００の茎１０１に第一食込み領域４５、および第二食込み領域４６を食い込ませやすくなる。
【００４０】
第一茎側非当接領域４７、および第二茎側非当接領域４８は、それぞれ、スリット幅方向Ｂにおいて第一食込み領域４５、および第二食込み領域４６に連続した領域である。そして、第一茎側非当接領域４７、および第二茎側非当接領域４８は、それぞれ第一食込み領域４５、および第二食込み領域４６のスリット深さ方向Ｃの両側または一方側に設けられ、第一食込み領域４５、および第二食込み領域４６に隣接する。また、第一茎側非当接領域４７、および第二茎側非当接領域４８は、第一食込み領域４５、および第二食込み領域４６よりもスリット幅方向Ｂにおける第一凸面４１０および第二凸面４２０の基端側に設けられる。
【００４１】
＜土台部＞
土台部２０は、植物保持部材１の土台となる部分である。土台部２０は、図１（Ａ）に示すように、土台面２１を有する。そして、本実施形態において土台部２０は、例えば、板状に形成されるが、これに限定されるものではなく、その他の形状であってもよい。土台部２０の材料として、例えば、ポリエチレンテレフタラート、ポリプロピレン等の樹脂または木材が一例として挙げられるが、これに限定されるものではなく、その他の材料であってもよい。
【００４２】
＜傾斜支持部＞
傾斜支持部３０は、植物側板状部１０を傾斜姿勢にした状態で、植物側板状部１０の幅方向の両側で植物側板状部１０を支持する。具体的に傾斜姿勢とは、図１（Ｂ）に示すように、土台面２１に沿う所定方向に進むに従って土台面２１に接近するように傾斜する植物側板状部の姿勢を指す。
【００４３】
ここで、図１（Ｂ）に示すように、植物保持部材１が置かれた空間において仮想的にＸＹＺ空間（以下、仮想ＸＹＺ空間と呼ぶ。）を定義する。仮想ＸＹＺ空間では、植物保持部材１の高さ方向はＺ軸と平行となり、幅方向はＸ軸と平行となり、奥行き方向はＹ軸と平行となる。また、仮想ＸＹＺ空間では、植物側板状部１０の幅方向はＸ軸と平行となる。また、仮想ＸＹＺ空間では、土台部２０の幅方向はＸ軸と平行となり、奥行き方向はＹ軸と平行となる。また、仮想ＸＹＺ空間では、傾斜支持部３０（支持側板状部３１）の高さ方向はＺ軸と平行となり、奥行き方向はＹ軸と平行となり、板厚方向はＸ軸と平行となる。以下において、適宜、植物保持部材１、植物側板状部１０、および傾斜支持部３０（支持側板状部３１）に対応する各方向を、単に、高さ方向Ｚ、奥行き方向Ｙ、幅方向Ｘと呼ぶ場合があることとする。なお、仮想ＸＹＺ空間では、土台面２１に沿う所定方向は、奥行き方向Ｙの奥側から手前側に向かう方向（Ｙ軸正方向）となる。
【００４４】
また、図３（Ａ）に示すように、植物側板状部１０を傾斜姿勢にした状態では、植物載置面１１とは反対側の植物側板状部１０の平面１４は、高さ方向Ｚにおいて土台面２１に対向する。また、植物側板状部１０のスリット４０を通じて平面１４から突出する茎１０１は、平面１４と土台面２１とで挟まれる空間に位置する。また、図１（Ｂ）および図３（Ａ）に示すように、植物側板状部１０を傾斜姿勢にした状態では、スリット４０は、開口４３側が土台面２１に対して遠位となり、最奥面４４側が土台面２１に対して近位となるように傾斜する
【００４５】
＜支持側板状部＞
傾斜支持部３０は、図１（Ａ），（Ｂ）に示すように、一対の板状の支持側板状部３１を有する。一対の支持側板状部３１は、植物側板状部１０を支持するものである。支持側板状部３１は、例えば、土台面２１の幅方向Ｘの両端を起点として土台面２１よりも高さ方向Ｚの上方側に立設される。なお、支持側板状部３１は、土台面２１よりも高さ方向Ｚの上方側に延在していれば、起点となる位置は、土台面２１よりも高さ方向Ｚの上方側または下方側であってもよい。また、支持側板状部３１は、土台部２０と一体形成される態様であってもよい。また、支持側板状部３１は、土台部２０とは別の支持部材として構成され、（図示しない）取付手段を介して土台部２０に取り付けられる態様であってもよい。また、支持側板状部３１は、土台部２０とは別の（図示しない）取付手段に取り付けられて土台面２１よりも高さ方向Ｚの上方側に延在するようにされてもよい。
【００４６】
支持側板状部３１は、図１（Ａ），（Ｂ）に示すように、複数のスリット３２を有する。スリット３２は、支持側板状部３１の高さ方向Ｚの上端の外縁に設けられた開口３３を起点として支持側板状部３１の内部側に延在する。スリット３２が延在する方向は、植物側板状部１０がスリット３２に挿入された際に、植物側板状部１０を傾斜姿勢にする傾斜方向Ｇとなる。具体的に上記傾斜方向Ｇは、図３（Ｂ）に示すように、奥行き方向Ｙの奥側から手前側（Ｙ軸正方向）に進むにしたがって高さ方向Ｚの上方側から下方側（Ｚ軸負方向）に傾斜するような方向となる。
【００４７】
また、スリット３２は、植物側板状部１０を挿入可能なスリット幅を有する。スリット３２は、図３（Ｂ）に示すように、支持側板状部３１の奥行き方向Ｙに等間隔に設けられることが好ましい。
【００４８】
スリット３２は、図３（Ｂ）に示すように、第一スリット構成面３４と、第二スリット構成面３５と、およびスリット３２のスリット延在方向における最奥面３６と、により構成される。第一スリット構成面３４および第二スリット構成面３５は、それぞれ傾斜方向Ｇに延在する。なお、本実施形態では第一スリット構成面３４および第二スリット構成面３５は、平行になっているがこれに限定されるものではない。第一スリット構成面３４は、傾斜方向Ｇに延在する必要があるが、第二スリット構成面３５は、それ以外の方向に延在してもよい。
【００４９】
また、第一スリット構成面３４および第二スリット構成面３５は、図３（Ｂ）に示すように、奥行き方向Ｙまたはスリット幅方向Ｈにおいて対向する。そして、スリット３２のスリット幅に対応する第一スリット構成面３４と第二スリット構成面３５との間の距離（スリット幅方向Ｈにおける最奥面３６の長さ）は、植物側板状部１０の板厚よりも大きい。
【００５０】
最奥面３６は、第一スリット構成面３４および第二スリット構成面３５の最奥端に連続して繋がっている。また、最奥面３６は、傾斜方向Ｇにおいて開口３３に取り囲まれる開口面３３Ａに対向する。
【００５１】
図３（Ｂ）に示すように、植物側板状部１０がスリット３２に挿入された際、第一スリット構成面３４は、植物側板状部１０の平面１４に接触して、高さ方向Ｚの下方側から植物側板状部１０を支持する。つまり、第一スリット構成面３４は、植物側板状部１０の平面１４側から植物側板状部１０を支持する平面側支持面として機能する。また、最奥面３６は、植物側板状部１０の側面を構成する端面１５に接触して、高さ方向Ｚの下方側から植物側板状部１０を支持する。つまり、最奥面３６は、植物側板状部１０の端面１５側から植物側板状部１０を支持する端面側支持面として機能する。これにより、植物側板状部１０は、第一スリット構成面３４および最奥面３６により傾斜姿勢にされた状態で支持される。
【００５２】
第二スリット構成面３５は、例えば、スリット３２に挿入された植物側板状部１０がスリット幅方向Ｂの第二スリット構成面３５から離反する側（Ｙ軸正方向）に移動して、第一スリット構成面３４および最奥面３６から離反することを規制する。つまり、スリット３２に挿入された植物側板状部１０が第一スリット構成面３４からスリット幅方向Ｂの第二スリット構成面３５から離反する側（Ｙ軸正方向）に移動すると、植物側板状部１０は、第二スリット構成面３５に接触する。そして、スリット３２のスリット幅（スリット幅方向Ｈにおける最奥面３６の長さ）を植物側板状部１０の板厚よりもわずかに大きい程度にすれば、植物側板状部１０は、ほぼ傾斜姿勢を維持したままにできる。
【００５３】
一対の支持側板状部３１は、図１（Ａ）に示すように、スリット３２の延在方向（傾斜方向）が平行となると共に、奥行き方向Ｙにおいてスリット３２が同じ位置となるように、幅方向Ｘに並列に配置される。このとき、一対の支持側板状部３１は、それぞれの第一スリット構成面３４および最奥面３６が同一平面状となる。
【００５４】
以上のように構成される一対の支持側板状部３１のスリット３２に植物側板状部１０を挿入すると、図１（Ｂ）に示すように、植物側板状部１０は傾斜姿勢となる。また、各スリット３２に支持側板状部３１を挿入するだけで、植物側板状部１０の植物載置面１１が向く方向が一致する。結果、各植物側板状部１０で保持されるイチゴ１００は、同方向を向き、きれいに整列された状態となる。
【００５５】
＜第二実施形態＞
第二実施形態における植物保持部材１について図４〜図６を参照して説明する。本実施形態における植物保持部材１は、植物側板状部１０については第一実施形態における植物保持部材１と同様であるが、傾斜支持部３０については第一実施形態における植物保持部材１と異なる。本実施形態における植物保持部材１における土台部２０は、図４（Ａ）に示すように、一対の取付部２２を有する。また、本実施形態における植物保持部材１における傾斜支持部３０は、図４（Ａ）に示すように、一対の板状の支持側板状部３１を有する。なお、本実施形態では、一対の板状の支持側板状部３１は１つしか描いていないが、これは一例であって、複数あってもよい。
【００５６】
＜支持側板状部＞
図１（Ａ），（Ｂ）に示すように、第一実施形態における支持側板状部３１は、奥行き方向Ｙに沿って複数のスリットを列状に設けることが可能な程度の奥行き方向Ｙの長さを有していた。本実施形態における支持側板状部３１は、図４（Ａ），（Ｂ）に示すように、１つのスリット３２を有する。このため、本実施形態における支持側板状部３１の奥行き方向Ｙの長さは、短くてもよい。
【００５７】
本実施形態におけるスリット３２は、図４（Ａ）に示すように、支持側板状部３１の奥行き方向Ｙの（紙面に向かって）奥側の外縁に設けられた開口３３を起点として支持側板状部３１の内部側に延在する。スリット３２が延在する方向は、植物側板状部１０がスリット３２に挿入された際に、植物側板状部１０を傾斜姿勢にする傾斜方向Ｇとなる。
【００５８】
なお、植物側板状部１０の傾斜姿勢に対応する傾斜方向Ｇの土台面２１に対する傾斜角の大きさによっては、開口３３の位置が変わる。例えば、図５（Ａ）に示すように、傾斜方向Ｇの土台面２１に対する傾斜角が所定の傾斜角θよりも小さいと、開口３３は、支持側板状部３１の奥行き方向Ｙの奥側の外縁に設けられる。一方、図５（Ｂ）に示すように、傾斜方向Ｇの土台面２１に対する傾斜角が所定の傾斜角θよりも大きくなると、開口３３は、支持側板状部３１の高さ方向Ｚの上端の外縁に設けられる。ただし、傾斜方向Ｇの土台面２１に対する傾斜角が所定の傾斜角θよりも大きくても植物側板状部１０の高さ方向Ｚにおける長さがある閾値を超えると、開口３３は、支持側板状部３１の奥行き方向Ｙの奥側の外縁に設けられる。つまり、本実施形態では、開口３３の位置は、スリット３２の傾斜角の大きさ、植物側板状部１０の形状・サイズにより様々なものが想定される。
【００５９】
以上のスリット３２では、第一スリット構成面３４および第二スリット構成面３５は、平行であるが、図５（Ｃ）に示すように、第一スリット構成面３４および第二スリット構成面３５は、平行でなくてもよい。この場合でも、第一スリット構成面３４は、土台面２１に対して、植物側板状部１０の傾斜姿勢に対応する傾斜方向Ｇに延在する。一方、第二スリット構成面３５は、上記傾斜方向の傾斜角よりも大きく傾斜する傾斜方向に延在してもよいし、図５（Ｃ）に示すように、相互に傾斜角が異なる複数の面３５Ａ，３５Ｂにより構成されてもよい。複数の面３５Ａ，３５Ｂの傾斜角は、スリット３２のスリット幅がスリット３２の全区間において植物側板状部１０の板厚の長さよりも大きくできれば、どのような大きさであってもよい。
【００６０】
本実施形態における一対の支持側板状部３１は、それぞれ一つのスリット３２を有している。そして、一対のスリット３２には、植物側板状部１０の幅方向Ｘの両側が挿入される。そして、植物側板状部１０の平面１４および端面１５が第一スリット構成面３４および最奥面３６に接触して、傾斜姿勢で支持される。一方、第一実施形態における一対の支持側板状部３１は、それぞれ複数のスリット３２を有している。そして、一対の支持側板状部３１により複数の植物側板状部１０が支持される。したがって、本実施形態における支持側板状部３１では、支持する予定の植物側板状部１０の数に応じた最小限の支持側板状部３１を用意すれば足りる。
【００６１】
＜取付部＞
一対の取付部２２は、図４（Ａ）に示すように、土台部２０の幅方向Ｘの両端に載せ置かれて、奥行き方向Ｙに延在するように設けられる。つまり、一対の取付部２２の延在方向は、奥行き方向Ｙに平行となる。支持側板状部３１と取付部２２とには、取付機構３８が設けられる。取付機構３８により取付部２２には、奥行き方向Ｙに沿って複数の支持側板状部３１が取り付け可能である。取付部２２は、土台部２０に対して固定されてもよいし、移動可能に単に載せ置かれている状態であってもよい。
【００６２】
取付部２２は、図６（Ａ）に示すように、基部２２０と、複数の取付側凸部２２１と、嵌合溝２２２と、により構成される。基部２２０は、奥行き方向Ｙに延在する板状部材である。また、基部２２０の板厚方向は、土台部２０の幅方向Ｘと平行になる。そして、基部２２０は、幅方向Ｘにおける土台部２０の端部に載せ置かれる。
【００６３】
取付側凸部２２１は、図６（Ａ）に示すように、高さ方向Ｚにおける基部２２０の上端を起点として高さ方向Ｚの上方側に凸となるものである。複数の取付側凸部２２１は、奥行き方向Ｙに等間隔で列状に設けられる。本実施形態において取付側凸部２２１は、高さ方向Ｚにおける基部２２０の上端を起点として高さ方向Ｚの上方側に進むにしたがって奥行き方向Ｙにおける幅が小さくなるテーパ状（例えば、三角柱状）に形成される。
【００６４】
嵌合溝２２２は、図６（Ａ）に示すように、高さ方向Ｚにおける基部２２０の上端から高さ方向Ｚの下方側に凹む凹部により構成される。嵌合溝２２２は、隣接する２つの取付側凸部２２１の間に設けられる。また、嵌合溝２２２は、奥行き方向Ｙに等間隔で列状に設けられる。開口２２２Ａを起点とした高さ方向Ｚの下方側の途中までの区間において嵌合溝２２２を構成する凹部は、奥行き方向Ｙにおける開口２２２Ａの両端を起点として、高さ方向Ｚの下方側に進むにしたがって奥行き方向Ｙの開口２２２Ａから離反する側に向かうように延在する一対の第一延在面片２２３を有する。それ以降の区間において嵌合溝２２２を構成する凹部は、高さ方向Ｚの下方側に進むにしたがって接近し、高さ方向Ｚにおける嵌合溝２２２の下端で繋がる第二延在面片２２４を有する。一対の第一延在面片２２３および第二延在面片２２４により嵌合溝２２２を構成する凹部が構成される。一対の第一延在面片２２３および第二延在面片２２４は、例えば、円弧状に形成される。
【００６５】
また、開口２２２Ａは、隣接する取付側凸部２２１の一部を構成する傾斜面２２１Ａに連続する。傾斜面２２１Ａは、高さ方向Ｚの下方側に進むにしたがって奥行き方向Ｙにおける開口２２２Ａの外側から開口２２２Ａに向かう側に傾斜する。
【００６６】
一方、支持側板状部３１には、２つの支持側凸部３１０、および弾性凸部３１１が設けられる。２つの支持側凸部３１０は、それぞれ支持側板状部３１の高さ方向Ｚの下端から高さ方向Ｚの下方側に凸となるように設けられる。２つの支持側凸部３１０は、支持側板状部３１の高さ方向Ｚの下方側に進むに従って奥行き方向Ｙの幅が小さくなるテーパ状（例えば、三角柱状）に形成される。この場合、２つの支持側凸部３１０は、２つの傾斜面３１０Ａを有する。
【００６７】
また、２つの支持側凸部３１０は、それぞれ支持側板状部３１の高さ方向Ｚの下端において奥行き方向Ｙに沿って並列に並ぶ。そして、弾性凸部３１１は、奥行き方向Ｙにおける２つの支持側凸部３１０の間に設けられる。
【００６８】
弾性凸部３１１は、高さ方向Ｚにおける支持側凸部３１０の途中から二股に分かれた態様をしており、テーパ部３１２と、第一分離凸部３１３と、第二分離凸部３１４と、を有する。テーパ部３１２は、支持側凸部３１０と同様に、支持側板状部３１の高さ方向Ｚの下端からテーパ状に下方側に凸となる。
【００６９】
第一分離凸部３１３および第二分離凸部３１４は、それぞれテーパ部３１２の下端において奥行き方向Ｙに沿って並列に設けられる。そして、第一分離凸部３１３および第二分離凸部３１４は、それぞれテーパ部３１２の下端を起点として高さ方向Ｚの下方側に進むに従って一旦は奥行き方向Ｙに沿って隣接する自身に近位な支持側凸部３１０側に向かうように延在し、それ以降は、高さ方向Ｚの下方側に進むに従って奥行き方向Ｙに沿って上記と逆側に延在する。第一分離凸部３１３および第二分離凸部３１４は、例えば、円弧状に形成される。この場合、第一分離凸部３１３および第二分離凸部３１４は、円弧の凹んだ側が奥行き方向Ｙにおいて対向するように設けられる。
【００７０】
第一分離凸部３１３および第二分離凸部３１４は、外力が加わると、弾性変形して互いに奥行き方向Ｙに沿って接近するように変形可能である。そして、外力がなくなると、第一分離凸部３１３および第二分離凸部３１４は、元の状態に復帰する。なお、第一分離凸部３１３および第二分離凸部３１４は、元の状態では、開口２２２Ａよりも奥行き方向Ｙの外側まで広がっている。
【００７１】
＜取付態様＞
取付機構３８は、取付部２２に設けられた嵌合溝２２２と、支持側板状部３１に設けられた弾性凸部３１１と、により構成される。支持側板状部３１を取付部２２に取り付ける場合、図６（Ａ）に示すように、第一分離凸部３１３および第二分離凸部３１４を開口２２２Ａに接近させる。そして、図６（Ｂ）に示すように、第一分離凸部３１３および第二分離凸部３１４が開口２２２Ａに隣接する傾斜面２２１Ａに接触すると、第一分離凸部３１３および第二分離凸部３１４は、傾斜面２２１Ａに押圧されて互いに接近するように外力を加えられる。結果、第一分離凸部３１３および第二分離凸部３１４は、弾性変形しつつ、開口２２２Ａを通過していく。図６（Ｃ）に示すように、開口２２２Ａを通過すると、第一分離凸部３１３および第二分離凸部３１４は、開口２２２Ａよりさらに互いに接近した状態となり、その状態を維持したまま嵌合溝２２２の奥側に入り込む。
【００７２】
第一分離凸部３１３および第二分離凸部３１４全体が開口２２２Ａを通過して嵌合溝２２２の内部に押し込まれると、図６（Ｄ）に示すように、第一分離凸部３１３および第二分離凸部３１４は、外側に広がって元の状態に復帰する。そして、第一分離凸部３１３および第二分離凸部３１４は、開口２２２Ａよりも奥行き方向Ｙの外側まで広がり、例えば、嵌合溝２２２の周面に接触する。結果、弾性凸部３１１は、嵌合溝２２２に嵌合した状態になる。この状態にある支持側板状部３１が高さ方向Ｚの上方側に引っ張られても容易には抜けない。
【００７３】
また、支持側凸部３１０は、隣接する取付側凸部２２１の間の谷部分に入り込んで係合する。また、支持側凸部３１０の先端は、嵌合溝２２２の開口２２２Ａを通過する。また、取付側凸部２２１は、弾性凸部３１１と支持側凸部３１０の間の谷部分に入り込んで係合する。以上のようにして、支持側板状部３１は、取付部２２に取り付けられる。図６（Ｄ）に示すように、係合時には、取付側凸部２２１を構成する２つの傾斜面２２１Ａは、少なくとも一部が、支持側凸部３１０におけるテーパ部３１２の傾斜面３１２Ａ、および支持側凸部３１０における傾斜面３１０Ａに接触する。
【００７４】
＜第三実施形態＞
第三実施形態における植物保持部材１について図７〜図９を参照して説明する。本実施形態における植物保持部材１は、植物側板状部１０および土台部２０については第二実施形態における植物保持部材１と同様であるが、傾斜支持部３０については第二実施形態における植物保持部材１と異なる。本実施形態における植物保持部材１における傾斜支持部３０も、図７（Ａ），（Ｂ）に示すように、第二実施形態における植物保持部材１と同様に、一対の板状の支持側板状部３１を有するが、第二実施形態における支持側板状部３１とは構造が異なる。また、本実施形態において、支持側板状部３１を取付部２２に取り付ける際の取付機構３８は、第二実施形態における植物保持部材１と同様である。なお、本実施形態でも、一対の板状の支持側板状部３１は１つしか描いていないが、これは一例であって、複数あってもよい。
【００７５】
＜支持側板状部＞
本実施形態における支持側板状部３１は、図７（Ａ），（Ｂ）および図８に示すように、板厚側凹部６０と、主通路側開口７０と、予備通路側開口７１と、を有する。板厚側凹部６０は、支持側板状部３１において支持側板状部３１の板厚方向に凹む部分である。板厚側凹部６０は、図８（Ａ）に示すように、主通路部６１と、予備通路部６２と、旋回通路部６３と、を有する。
【００７６】
主通路部６１は、板厚側凹部６０のうち、植物側板状部１０を挿入する主となる通路を構成する部分である。植物側板状部１０は、通常は主通路部６１を通じて挿入されて、主通路部６１で傾斜姿勢となった状態で支持される。そして、主通路部６１は、主通路側開口７０を起点として傾斜方向Ｇに沿って延在し、植物側板状部１０を挿入可能な通路幅を有する。
【００７７】
予備通路部６２は、板厚側凹部６０のうち、植物側板状部１０を挿入する予備的な通路を構成する部分である。主通路側開口７０の周りに植物側板状部１０を挿入するためのスペースが狭く、主通路部６１から植物側板状部１０を挿入することが難しい場合、植物側板状部１０は、予備通路部６２を通じて挿入されて、旋回通路部６３を通じて主通路部６１に移動され、主通路部６１で傾斜姿勢となった状態で支持される。そして、予備通路部６２は、予備通路側開口７１を起点として主通路部６１に向かって延在し、植物側板状部１０を挿入可能な通路幅を有する。予備通路部６２は、主通路部６１の中心よりも奥側寄りに向かって延在することが好ましい。
【００７８】
旋回通路部６３は、板厚側凹部６０のうち、主通路部６１と予備通路部６２との間に位置し、植物側板状部１０が旋回により主通路部６１と予備通路部６２との間を往復移動可能な旋回空間６３Ａを有する部分である。旋回空間６３Ａは、植物側板状部１０が旋回により主通路部６１と予備通路部６２との間を往復移動可能な大きさを有する。植物側板状部１０は、予備通路部６２の最奥部を旋回の中心に旋回可能となる。
【００７９】
以上のような、主通路部６１、予備通路部６２、および旋回通路部６３は、植物側板状部１０の旋回方向に沿って主通路部６１、旋回通路部６３、予備通路部６２の順に並ぶ。したがって、植物側板状部１０を主通路部６１から挿入すれば、植物側板状部１０は、そのまま主通路部６１で傾斜姿勢となった状態で支持される。植物側板状部１０を予備通路部６２から挿入すれば、植物側板状部１０は、旋回通路部６３で旋回することにより主通路部６１に移動して、主通路部６１で傾斜姿勢となった状態で支持される。
【００８０】
なお、旋回方向は、板厚側凹部６０における深さ方向の底面となる凹部底面６００に沿う方向となる。また、図７（Ａ）に示すように、一対の支持側板状部３１は、土台部２０の幅方向Ｘにおいて、それぞれの凹部底面６００が対向するように配置される。
【００８１】
主通路部６１は、主通路側開口７０側から主通路部６１の奥側に向かって、順に、第一主通路側区間Ｓ１、第二主通路側区間Ｓ２、第三主通路側区間Ｓ３に分けられる。第二主通路側区間Ｓ２とは、第一主通路側区間Ｓ１に続く区間であり、主通路部６１と旋回通路部６３とが植物側板状部１０の旋回方向において隣接する。第一主通路側区間Ｓ１とは、主通路側開口７０から第二主通路側区間Ｓ２の入口までの区間である。第三主通路側区間Ｓ３とは、第二主通路側区間Ｓ２の出口から主通路部６１の最奥までの区間である。
【００８２】
第一主通路側区間Ｓ１において主通路部６１は、図８（Ｃ），（Ｄ）に示すように、第一凹部底面片６１１と、第一平面側支持面片６１２と、主通路側対向面６１３と、により構成される。第一平面側支持面片６１２、および主通路側対向面６１３は、第一凹部底面片６１１を起点として板厚方向に立つ面である。
【００８３】
第一凹部底面片６１１は、板厚側凹部６０の凹部底面６００の一部を成し、第一主通路側区間Ｓ１に亘って傾斜方向Ｇに延在する。つまり、第一凹部底面片６１１は、主通路側開口７０を起点として第二主通路側区間Ｓ２の入口まで傾斜方向Ｇに延在する。
【００８４】
第一平面側支持面片６１２は、平面側支持面６１０の一部を成す。つまり、第一平面側支持面片６１２は、図８（Ｃ），（Ｄ）に示すように、平面側支持面６１０のうち、第一主通路側区間Ｓ１において延在する部分である。平面側支持面６１０は、高さ方向Ｚの上方側を向くと共に、主通路側開口７０を起点として傾斜方向Ｇに延在する。そして、平面側支持面６１０は、主通路部６１の最奥まで延在する。つまり、平面側支持面６１０は、第一主通路側区間、第二主通路側区間、および第三主通路側区間の全区間に亘って延在する。図８（Ｂ）に示すように、主通路部６１に挿入された植物側板状部１０は、自身の平面１４が平面側支持面６１０に接触して傾斜姿勢となり、高さ方向Ｚの下方側から支持される。
【００８５】
主通路側対向面６１３は、図８（Ｃ），（Ｄ）に示すように、主通路部６１の通路幅方向において第一平面側支持面片６１２に対向する。そして、主通路側対向面６１３は、第一平面側支持面片６１２から主通路部６１の通路幅方向に、植物側板状部１０の板厚の長さ以上に離れた位置に位置する。また、主通路側対向面６１３は、主通路側開口７０を起点として第一主通路側区間に亘って傾斜方向Ｇに延在する。主通路側対向面６１３は、第一平面側支持面片６１２と共に、植物側板状部１０を主通路部６１の通路方向に案内する案内面として機能する。
【００８６】
第二主通路側区間Ｓ２において主通路部６１は、図８（Ｃ），（Ｄ）に示すように、板厚側凹部６０の第二凹部底面片６１４と、第二平面側支持面片６１５と、により構成される。第二平面側支持面片６１５は、第二凹部底面片６１４を起点として板厚方向に立つ面である。
【００８７】
第二凹部底面片６１４は、板厚側凹部６０の凹部底面６００の一部を成し、第二主通路側区間Ｓ２に亘って傾斜方向Ｇに延在する。つまり、第二凹部底面片６１４は、第一凹部底面片６１１の奥側端部を起点として第三主通路側区間Ｓ３の入口まで傾斜方向Ｇに延在する。
【００８８】
第二平面側支持面片６１５は、平面側支持面６１０の一部を成す。つまり、第二平面側支持面片６１５は、平面側支持面６１０のうち、第二主通路側区間Ｓ２において延在する部分である。第二平面側支持面片６１５は、主通路部６１の通路幅方向において旋回通路部６３に対向する。
【００８９】
第三主通路側区間Ｓ３において主通路部６１は、図８（Ｃ），（Ｄ）に示すように、第三凹部底面片６１６と、第三平面側支持面片６１７と、端面側支持面６１８と、主通路側対向面６１９と、により構成される。
【００９０】
第三凹部底面片６１６は、板厚側凹部６０の凹部底面６００の一部を成し、第三主通路側区間Ｓ３に亘って傾斜方向Ｇに延在する。つまり、第三凹部底面片６１６は、第二凹部底面片６１４の奥側端部を起点として、端面側支持面６１８まで傾斜方向Ｇに延在する。
【００９１】
第三平面側支持面片６１７は、平面側支持面６１０の一部を成す。つまり、第三平面側支持面片６１７は、平面側支持面６１０のうち、第三主通路側区間Ｓ３において延在する部分である。
【００９２】
端面側支持面６１８は、図８（Ｃ），（Ｄ）に示すように、傾斜方向Ｇにおいて主通路側開口７０が取り囲む開口面に対向し、図８（Ｂ）に示すように、植物側板状部１０の端面１５に接触して植物側板状部１０を下方側から支持する。端面側支持面６１８は、第三平面側支持面片６１７の最奥端部６１７Ｃに連続して、高さ方向Ｚの上方側、かつ傾斜方向Ｇに直角な方向に延在する。
【００９３】
主通路側対向面６１９は、主通路部６１の通路幅方向において第三平面側支持面片６１７の一部を成す第五平面側支持面片６１７Ｂに対向する。なお、第三平面側支持面片６１７は、主通路部６１の通路幅方向において主通路側対向面６１９に対向しない第四平面側支持面片６１７Ａと、主通路部６１の通路幅方向において主通路側対向面６１９に対向する第五平面側支持面片６１７Ｂと、に分けることができる。そして、第四平面側支持面片６１７Ａは、第二主通路側区間Ｓ２に近位で、第五平面側支持面片６１７Ｂは、第二主通路側区間Ｓ２に遠位となる。
【００９４】
主通路側対向面６１９は、図８（Ｃ），（Ｄ）に示すように、端面側支持面６１８の上方側端部６１８Ａを起点として、第三主通路側区間Ｓ３の途中まで傾斜方向Ｇの主通路側開口７０に向かう側に延在する。そして、主通路側対向面６１９は、第五平面側支持面片６１７Ｂから植物側板状部１０の板厚の長さ以上に離れた位置に位置する。
【００９５】
なお、第三主通路側区間Ｓ３において主通路部６１は、予備通路部６２の最奥部６２Ａを起点として主通路部６１の通路方向に凹む通路方向側凹部６１Ａを有する。通路方向側凹部６１Ａは、主通路部６１の通路方向の最奥を起点とした一区間を形成する。具体的に通路方向側凹部６１Ａは、第五平面側支持面片６１７Ｂ、端面側支持面６１８、主通路側対向面６１９、およびこれらに対応する第三凹部底面片６１６の一部（第四凹部底面片６１６Ａ）により構成される。
【００９６】
また、予備通路部６２は、図８（Ａ）に示すように、予備通路側開口７１側から予備通路部６２の奥側に向かって、順に、第一予備通路側区間Ｒ１、第二予備通路側区間Ｒ２に分けられる。第二予備通路側区間Ｒ２とは、予備通路部６２と旋回通路部６３とが植物側板状部１０の旋回方向において隣接する区間である。第一予備通路側区間Ｒ１とは、予備通路側開口７１から第二予備通路側区間の入口までの区間である。
【００９７】
第一予備通路側区間Ｒ１において予備通路部６２は、図８（Ｃ），（Ｄ）に示すように、第五凹部底面片６２１と、第一予備通路側案内面片６２２と、予備通路側対向面６２３と、により構成される。第一予備通路側案内面片６２２、および予備通路側対向面６２３は、第五凹部底面片６２１を起点として板厚方向に立つ面である。
【００９８】
第五凹部底面片６２１は、板厚側凹部６０の凹部底面６００の一部を成し、第一予備通路側区間Ｒ１に亘って予備通路部６２の通路方向に延在する。つまり、第五凹部底面片６２１は、予備通路側開口７１を起点として第二予備通路側区間Ｒ２の入口まで予備通路部６２の通路方向に延在する。なお、本実施形態において予備通路部６２の通路方向は、高さ方向Ｚに平行な方向であるが、これに限定されるものではなく、土台面２１に対して傾斜方向Ｇよりも傾斜角が大きくなる他の方向であってもよい。
【００９９】
第一予備通路側案内面片６２２は、第一予備通路側区間Ｒ１、および第二予備通路側区間Ｒ２の全区間に亘って延在する予備通路側案内面６２０の一部を成す。つまり、第一予備通路側案内面片６２２は、予備通路側案内面６２０のうち、第一予備通路側区間Ｒ１において延在する部分である。予備通路側案内面６２０は、予備通路側開口７１を起点として主通路部６１まで延在する。本実施形態では、予備通路側案内面６２０は、主通路部６１の第三主通路側区間Ｓ３の途中まで延在する。予備通路部６２に挿入された植物側板状部１０は、自身の植物載置面１１が予備通路側案内面６２０に接触して主通路部６１まで案内される。
【０１００】
予備通路側対向面６２３は、予備通路部６２の通路幅方向において第一予備通路側案内面片６２２に対向する。本実施形態において予備通路部６２の通路幅方向は、奥行き方向Ｙに平行となる。そして、予備通路側対向面６２３は、第一予備通路側案内面片６２２から予備通路部６２の通路幅方向に、植物側板状部１０の板厚の長さ以上に離れた位置に位置する。また、予備通路側対向面６２３は、予備通路側開口７１を起点として第一予備通路側区間Ｒ１に亘って予備通路部６２の通路方向に延在する。
【０１０１】
第二予備通路側区間Ｒ２において予備通路部６２は、第六凹部底面片６２４と、第二予備通路側案内面片６２５と、により構成される。第二予備通路側案内面片６２５は、第六凹部底面片６２４を起点として板厚方向に立つ面である。
【０１０２】
第六凹部底面片６２４は、板厚側凹部６０の凹部底面６００の一部を成し、第二予備通路側区間Ｒ２に亘って予備通路部６２の通路方向に延在する。本実施形態において第六凹部底面片６２４は、第一予備通路側区間Ｒ１の出口を起点として、主通路部６１の第三主通路側区間Ｓ３の途中まで延在する。
【０１０３】
第二予備通路側案内面片６２５は、予備通路側案内面６２０の一部を成す。つまり、第一予備通路側案内面片６２２は、予備通路側案内面６２０のうち、第二予備通路側区間Ｒ２において延在する部分である。
【０１０４】
旋回通路部６３は、第七凹部底面片６３１と、旋回通路側対向面６３２と、により構成される。旋回通路側対向面６３２は、第七凹部底面片６３１を起点として板厚方向に立つ面である。
【０１０５】
第七凹部底面片６３１は、板厚側凹部６０の凹部底面６００の一部を成し、主通路部６１と予備通路部６２の間に位置する。本実施形態では、第七凹部底面片６３１は、略扇形状となっている。
【０１０６】
旋回通路側対向面６３２は、旋回空間６３Ａを介して主通路部６１と予備通路部６２とが重なる重なり合い領域６４に対向する。本実施形態において旋回通路側対向面６３２は、主通路側対向面６１３および予備通路側対向面６２３の間において双方に繋がる。また、本実施形態において旋回通路側対向面６３２は、円弧状となる。
【０１０７】
＜植物側板状部の予備通路部からの挿入動作＞
図９を参照して、予備通路部６２から植物側板状部１０を挿入する場合の動作について説明する。まず、図９（Ａ）に示すように、植物側板状部１０の端面１５を先頭に予備通路側開口７１を通じて、植物側板状部１０を予備通路部６２に挿入する。そして、そのまま、予備通路部６２の通路方向に沿って予備通路部６２の最奥に向かって植物側板状部１０をスライド移動させる。
【０１０８】
図９（Ｂ）に示すように、植物側板状部１０の端面１５が予備通路部６２の最奥部に接触したとき、図９（Ｃ）に示すように、端面１５の中心を旋回中心として、植物側板状部１０を旋回させる。植物側板状部１０は、旋回通路部６３を通って主通路部６１に移動する。植物側板状部１０を平面側支持面６１０に接触させた状態で、平面側支持面６１０に沿って端面側支持面６１８まで植物側板状部１０をスライド移動させる。これにより、植物側板状部１０は、平面側支持面６１０および端面側支持面６１８により支持されて傾斜姿勢となる。
【０１０９】
なお、本考案の第二実施形態における植物保持部材１におけるスリット３２を、第三実施形態における板厚側凹部６０の主通路部６１に置き換えたものや、第三実施形態における板厚側凹部６０の主通路部６１または予備通路部６２をスリット３２に置き換えたものや、その他の第一〜三実施形態における植物保持部材１における各構成要件を適宜組み合わせたものも本考案の範囲に含まれる。
【０１１０】
また、本考案の第一実施形態における植物保持部材１の一対の支持側板状部３１には、図１（Ｂ）に示すように、予め複数のスリット３２が奥行き方向Ｙに所定間隔毎に設けられている。このため、本考案の第一実施形態における植物保持部材１では、隣り合うスリット３２同士の間隔を超える大きさの植物を保持する場合、隣り合う一方側のスリット３２を使用できないことがあった。結果、本考案の第一実施形態における植物保持部材１では、奥行き方向Ｙにおいて隣り合う植物の間に不要に広い間隔が生じることがある。しかしながら、本考案の第二，三実施形態における植物保持部材１の一対の支持側板状部３１には、スリット３２が１つだけしか設けられていない。そして、その支持側板状部３１は、図４（Ｂ）および図７（Ｂ）に示すように、一対の取付け部２２の奥行き方向Ｙにおける自由な位置に取り付けられる。このため、本考案の第二，三実施形態における植物保持部材１では、保持する植物のサイズに応じて隣り合うスリット３２同士の間隔を変更することができる。したがって、本考案の第二，三実施形態における植物保持部材１では、様々な形状・サイズの植物が混在していても、または、サイズの大きな植物であっても、奥行き方向Ｙにおいて隣り合う植物の間に適切な間隔を与えることができる。
【０１１１】
尚、本考案の植物保持部材は、上記した実施の形態に限定されるものではなく、本考案の要旨を逸脱しない範囲内において種々変更を加え得ることは勿論である。
【符号の説明】
【０１１２】
１  植物保持部材
１０  植物側板状部
１１  植物載置面
１３  帯状部
１４  平面
１５  端面
２０  土台部
２１  土台面
２２  取付部
３０  傾斜支持部
３１  支持側板状部
３２，４０  スリット
３３，４３  開口
３４,４１  第一スリット構成面
３５,４２  第二スリット構成面
３６  最奥面
３８  取付機構
４４  最奥面
４５  第一食込み領域
４６  第二食込み領域
４７  第一茎側非当接領域
４８  第二茎側非当接領域
６０  板厚側凹部
６１  主通路部
６１Ａ  通路方向側凹部
６２  予備通路部
６２Ａ  最奥部
６３  旋回通路部
６３Ａ  旋回空間
６４  重なり合い領域
７０  主通路側開口
７１  予備通路側開口
１００  イチゴ
１０１  茎
１０２  ヘタ
２２０  基部
２２１  取付側凸部
２２１Ａ  傾斜面
２２２  嵌合溝
２２２Ａ  嵌合溝の開口
２２３  第一延在面片
２２４  第二延在面片
３１０  支持側凸部
３１０Ａ，３１２Ａ  傾斜面
３１１  弾性凸部
３１２  テーパ部
３１３  第一分離凸部
３１４  第二分離凸部
６００  凹部底面
６１０  平面側支持面
６１１  第一凹部底面片
６１２  第一平面側支持面片
６１３  主通路側対向面
６１４  第二凹部底面片
６１５  第二平面側支持面片
６１６  第三凹部底面片
６１６Ａ  第四凹部底面片
６１７  第三平面側支持面片
６１７Ａ  第四平面側支持面片
６１７Ｂ  第五平面側支持面片
６１７Ｃ  最奥端部
６１８  端面側支持面
６１８Ａ  上方側端部
６１９  主通路側対向面
６２０  予備通路側案内面
６２１  第五凹部底面片
６２２  第一予備通路側案内面片
６２３  予備通路側対向面
６２４  第六凹部底面片
６２５  第二予備通路側案内面片
６３１  第七凹部底面片
６３２  旋回通路側対向面
Ａ  スリット延在方向
Ｂ  スリット配列方向（スリット幅方向）
Ｃ  スリット深さ方向
Ｄ  最小スリット幅
Ｇ  傾斜方向
Ｇ１  仮想基準面
Ｇ２  仮想基準面
Ｈ  スリット幅方向
Ｒ１  第一予備通路側区間
Ｒ２  第二予備通路側区間
Ｓ１  第一主通路側区間
Ｓ２  第二主通路側区間
Ｓ３  第三主通路側区間
Ｘ  幅方向
Ｙ  奥行き方向
Ｚ  高さ方向
【図１】
0003224506.tif 000003
【図２】
0003224506.tif 000004
【図３】
0003224506.tif 000005
【図４】
0003224506.tif 000006
【図５】
0003224506.tif 000007
【図６】
0003224506.tif 000008
【図７】
0003224506.tif 000009
【図８】
0003224506.tif 000010
【図９】
0003224506.tif 000011
【手続補正書】
【提出日】令和1年10月24日(2019.10.24)
【手続補正１】
【補正対象書類名】実用新案登録請求の範囲
【補正対象項目名】全文
【補正方法】変更
【補正の内容】
【実用新案登録請求の範囲】
【請求項１】
土台面より上方側で植物を保持する植物保持部材であって、
前記植物を保持する保持構造を有する板状の植物側板状部と、
前記植物側板状部を、前記土台面に沿う所定方向に進むに従って前記土台面に接近するように傾斜する傾斜姿勢にした状態で、前記植物側板状部の傾斜方向に直交する前記植物側板状部の幅方向の両側で前記植物側板状部を支持する傾斜支持部と、
を備えることを特徴とする、
植物保持部材。
【請求項２】
前記傾斜支持部は、前記土台面よりも上方側に延在すると共に、並列に配置される一対の板状の支持側板状部を有し、
前記支持側板状部は、
上方側を向くと共に、前記傾斜方向に傾斜し、前記植物側板状部の平面に接触して前記植物側板状部を下方側から支持する平面側支持面と、
前記傾斜方向において前記植物側板状部の側面を構成する端面に対向し、前記端面に接触して前記植物側板状部を下方側から支持する端面側支持面と、
を有し、
前記植物側板状部は、前記平面側支持面および前記端面側支持面で支持されて前記傾斜姿勢となることを特徴とする、
請求項１に記載の植物保持部材。
【請求項３】
前記支持側板状部は、前記支持側板状部の板厚方向に凹む板厚側凹部を有し、
前記板厚側凹部の構成面には、前記平面側支持面および前記端面側支持面が含まれることを特徴とする、
請求項２に記載の植物保持部材。
【請求項４】
前記支持側板状部は、前記平面側支持面の上端の近傍の前記支持側板状部の外縁において前記板厚方向に凹む開口を有し、
前記板厚側凹部は、前記開口を起点として、前記傾斜方向に沿って延在し、前記植物側板状部を挿入可能な通路幅を有する通路部を有し、
前記通路部には、前記平面側支持面および前記端面側支持面が含まれることを特徴とする、
請求項３に記載の植物保持部材。
【請求項５】
前記支持側板状部は、前記平面側支持面の上端の近傍の前記支持側板状部の外縁において前記板厚方向に凹む主通路側開口、および前記主通路側開口よりも前記所定方向側の前記支持側板状部の上端の外縁において前記板厚方向に凹む予備通路側開口を有し、
前記板厚側凹部は、
前記主通路側開口を起点として前記傾斜方向に沿って延在し、前記植物側板状部を挿入可能な主通路部と、
前記予備通路側開口を起点として前記主通路部に向かって延在し、前記植物側板状部を挿入可能な予備通路部と、
前記主通路部と前記予備通路部との間に位置し、前記植物側板状部が旋回により前記予備通路部と前記主通路部との間を移動可能な広さの旋回空間を有する旋回通路部と、
を有し、
前記主通路部には、前記平面側支持面および前記端面側支持面が含まれることを特徴とする、
請求項３に記載の植物保持部材。
【請求項６】
前記板厚側凹部は、前記予備通路部の最奥部を起点として前記主通路部の通路方向に凹むと共に、前記主通路部の一部を成す通路方向側凹部を有し、
前記通路方向側凹部の構成面には、前記平面側支持面および前記端面側支持面が含まれることを特徴とする、
請求項５に記載の植物保持部材。
【請求項７】
前記主通路部は、
前記旋回通路部での前記植物側板状部の旋回方向において前記旋回通路部に隣接する主通路側隣接区間と、
前記主通路側開口から前記主通路側隣接区間までの、前記植物側板状部を前記傾斜方向に案内する主通路側案内区間と、
を有し、
前記主通路側案内区間において前記主通路部は、
前記板厚側凹部の凹部底面の一部を成し、前記主通路側開口を起点として前記傾斜方向に延在する主通路側凹部底面片と、
前記主通路側凹部底面片を起点として前記板厚方向に立ち、前記平面側支持面の一部を成す平面側支持面片と、
前記主通路側凹部底面片を起点として前記板厚方向に立ち、前記主通路部の通路幅方向において前記平面側支持面片に対向する主通路側対向面と、
により構成されることを特徴とする、
請求項５または６に記載の植物保持部材。
【請求項８】
前記予備通路部は、
前記旋回通路部での前記植物側板状部の旋回方向において前記旋回通路部に隣接する予備通路側隣接区間と、
前記予備通路側開口から前記予備通路側隣接区間までの、前記植物側板状部を前記予備通路部の通路方向に案内する予備通路側案内区間と、
を有し、
前記予備通路側案内区間において前記予備通路部は、
前記板厚側凹部の前記凹部底面の一部を成し、前記予備通路側開口を起点として前記予備通路部の通路方向に延在する予備通路側凹部底面片と、
前記予備通路側凹部底面片を起点として前記板厚方向に立つと共に、前記予備通路部の通路幅方向において対向する一対の予備通路側対向面と、
により構成されることを特徴とする、
請求項７に記載の植物保持部材。
【請求項９】
前記旋回通路部は、
前記板厚側凹部の前記凹部底面の一部を成し、前記主通路部と前記予備通路部の間に位置する旋回通路側凹部底面片と、
前記旋回通路側凹部底面片から前記板厚方向に立つと共に、前記旋回空間を介して前記主通路部と前記予備通路部とが交わる領域に対向する旋回通路側対向面を有し、
前記旋回通路側対向面は、前記主通路側対向面および／または自身に近位側の前記予備通路側対向面に連続することを特徴とする、
請求項８に記載の植物保持部材。
【請求項１０】
前記支持側板状部は、
前記平面側支持面の上端の近傍の前記支持側板状部の外縁に設けられた開口を起点として前記傾斜方向に沿って前記支持側板状部の内部側に延在すると共に、前記植物側板状部を挿入可能なスリット幅を有する少なくとも１つのスリットを有し、
前記スリットの一部は、前記平面側支持面により構成されることを特徴とする、
請求項２に記載の植物保持部材。
【請求項１１】
前記植物は、茎を有し、
前記植物側板状部の前記保持構造は、前記植物側板状部の外縁に設けられた開口を起点として前記植物が載置される一方側の平面（以下、植物載置面と呼ぶ。）に沿う第一方向に沿って前記植物側板状部の内部側に延在するスリットを有し、
前記植物側板状部の前記傾斜姿勢において、前記スリットは、前記スリットの開口する側が前記土台面に対して遠位となり、前記スリットの奥側が前記土台面に対して近位となるように傾斜し、
前記スリットを取り囲む前記植物側板状部の面のうち、前記第一方向に直交し、かつ前記植物載置面に沿う第二方向において対向する第一挟持面および第二挟持面は、前記植物側板状部の厚み方向に前記スリットを通る前記茎を前記茎の径方向から挟持可能に構成され、
前記平面側支持面は、前記植物載置面とは反対側の平面に接触して前記植物側板状部を支持することを特徴とする、
請求項２〜１０のいずれかに記載の植物保持部材。
【請求項１２】
植物を保持する保持構造を有する板状の植物側板状体を、土台面より上方側で支持する支持部材であって、
前記植物側板状体を、前記土台面に沿う所定方向に進むに従って前記土台面に接近するように傾斜する傾斜姿勢にした状態で、前記植物側板状体の傾斜方向に直交する前記植物側板状体の幅方向の両側で前記植物側板状体を支持することを特徴とする、
支持部材。
【手続補正２】
【補正対象書類名】明細書
【補正対象項目名】００１２
【補正方法】変更
【補正の内容】
【００１２】
また、本考案の植物保持部材において、前記主通路部は、前記旋回通路部での前記植物側板状部の旋回方向において前記旋回通路部に隣接する主通路側隣接区間と、前記主通路側開口から前記主通路側隣接区間までの、前記植物側板状部を前記傾斜方向に案内する主通路側案内区間と、を有し、前記主通路側案内区間において前記主通路部は、前記板厚側凹部の凹部底面の一部を成し、前記主通路側開口を起点として前記傾斜方向に延在する主通路側凹部底面片と、前記主通路側凹部底面片を起点として前記板厚方向に立ち、前記平面側支持面の一部を成す平面側支持面片と、前記主通路側凹部底面片を起点として前記板厚方向に立ち、前記主通路部の通路幅方向において前記平面側支持面片に対向する主通路側対向面と、により構成されることを特徴とする。
【手続補正３】
【補正対象書類名】明細書
【補正対象項目名】００１３
【補正方法】変更
【補正の内容】
【００１３】
また、本考案の植物保持部材において、前記予備通路部は、前記旋回通路部での前記植物側板状部の旋回方向において前記旋回通路部に隣接する予備通路側隣接区間と、前記予備通路側開口から前記予備通路側隣接区間までの、前記植物側板状部を前記予備通路部の通路方向に案内する予備通路側案内区間と、を有し、前記予備通路側案内区間において前記予備通路部は、前記板厚側凹部の前記凹部底面の一部を成し、前記予備通路側開口を起点として前記予備通路部の通路方向に延在する予備通路側凹部底面片と、前記予備通路側凹部底面片を起点として前記板厚方向に立つと共に、前記予備通路部の通路幅方向において対向する一対の予備通路側対向面と、により構成されることを特徴とする。
【手続補正４】
【補正対象書類名】明細書
【補正対象項目名】００１５
【補正方法】変更
【補正の内容】
【００１５】
また、本考案の植物保持部材において、前記支持側板状部は、前記平面側支持面の上端の近傍の前記支持側板状部の外縁に設けられた開口を起点として前記傾斜方向に沿って前記支持側板状部の内部側に延在すると共に、前記植物側板状部を挿入可能なスリット幅を有する少なくとも１つのスリットを有し、前記スリットの一部は、前記平面側支持面により構成されることを特徴とする。
【手続補正５】
【補正対象書類名】明細書
【補正対象項目名】００１６
【補正方法】変更
【補正の内容】
【００１６】
また、本考案の植物保持部材において、前記植物は、茎を有し、前記植物側板状部の前記保持構造は、前記植物側板状部の外縁に設けられた開口を起点として前記植物が載置される一方側の平面（以下、植物載置面と呼ぶ。）に沿う第一方向に沿って前記植物側板状部の内部側に延在するスリットを有し、前記植物側板状部の前記傾斜姿勢において、前記スリットは、前記スリットの開口する側が前記土台面に対して遠位となり、前記スリットの奥側が前記土台面に対して近位となるように傾斜し、前記スリットを取り囲む前記植物側板状部の面のうち、前記第一方向に直交し、かつ前記植物載置面に沿う第二方向において対向する第一挟持面および第二挟持面は、前記植物側板状部の厚み方向に前記スリットを通る前記茎を前記茎の径方向から挟持可能に構成され、前記平面側支持面は、前記植物載置面とは反対側の平面に接触して前記植物側板状部を支持することを特徴とする。
【手続補正６】
【補正対象書類名】明細書
【補正対象項目名】００１７
【補正方法】変更
【補正の内容】
【００１７】
また、本考案の支持部材は、植物を保持する保持構造を有する板状の植物側板状体を、土台面より上方側で支持する支持部材であって、前記植物側板状体を、前記土台面に沿う所定方向に進むに従って前記土台面に接近するように傾斜する傾斜姿勢にした状態で、前記植物側板状体の傾斜方向に直交する前記植物側板状体の幅方向の両側で前記植物側板状体を支持することを特徴とする。